(57)【特許請求の範囲】
【請求項１】
流体が充填されて前記流体の体積変化に伴って駆動される第１駆動手段と、
前記第１駆動手段と連結され前記流体の流出入を調節する第２駆動手段とを持ち、
前記第１駆動手段は、
前記流体が盛られた第１シリンダーと、
前記第１シリンダーを往復する第１ピストンと、
前記第１ピストンを加熱させる加熱手段と前記第１ピストンと連動して作業対象物に出力を提供するロッドとを持ち、
前記第２駆動手段は、
前記第１シリンダー内の流体の流量を調節するために前記第１シリンダーと連通する第２シリンダーと、
前記第２シリンダー内を往復する第２ピストンと、
前記第２ピストンの移動を制御する制御手段とを持つことを特徴とする駆動装置。
【請求項２】
洗濯機の排水制御装置において、
流体が充填され前記流体の体積変化に伴って駆動される第１駆動手段と、
前記第１駆動手段と連結され前記流体の流出入を調節する第２駆動手段とから構成され洗濯行程によって排水を制御することを特徴とする洗濯機の排水制御装置。
【請求項３】
前記第１駆動手段は、
前記流体が盛られた第１シリンダーと、
前記第１シリンダーを往復する第１ピストンと、
前記第１ピストンを加熱させる加熱手段と前記第１ピストンと連動して排水口開閉部を作動させるロッドとを持つことを特徴とする請求項２に記載の洗濯機の排水制御装置。
【請求項４】
前記第２駆動手段は、
前記第１シリンダー内の流体の流量を調節するために前記第１シリンダーと連通する第２シリンダーと、
前記第２シリンダー内を往復する第２ピストンと、
前記第２ピストンの移動を制御する制御手段とを持つことを特徴とする請求項２に記載の洗濯機の排水制御装置。
【請求項５】
前記加熱手段は、電源部から電源を印加される電源素子と連結されたヒーターであることを特徴とする請求項３に記載の洗濯機の排水制御装置。
【請求項６】
前記制御手段は、電源部から電源を印加される電源素子と連結されたコイルであることを特徴とする請求項４に記載の洗濯機の排水制御装置。
【請求項７】
前記ロッドは一側面に弾性部材が備わって弾性部材による弾性力を持つようになることを特徴とする請求項３に記載の洗濯機の排水制御装置。
【発明の詳細な説明】
【０００１】
【発明の属する技術分野】
本発明は駆動装置に係り、さらに詳しくは流体が充填され前記流体の体積変化を利用した第１駆動手段と前記第１駆動手段に連結され前記流体の流出入を調節する第２駆動手段を持つ駆動装置に関する。
【０００２】
【従来の技術】
本発明の望ましい説明のために実施形態の洗濯機の排水制御装置と連結して説明しようとする。
従来の洗濯機は図１に示した通り、水槽１の底面一側に駆動力を発生させる駆動モーター３と底面中央に動力伝達装置２が設けられ、前記動力伝達装置２から一定距離離隔された所定位置に水槽内の水を排水させるようにする排水ホース４と連結された排水口４ａが形成され、前記排水口４ａと動力伝達装置２の動力伝達を制御するドレーンモーター５が一定距離離隔された所定位置に設けられている。
【０００３】
前記ドレーンモーター５の一側には、前記動力伝達装置２と排水口４ａの開閉を制御するようにスチールワイヤー６ａを媒介にして連結ブラケット６が設けられ、前記連結ブラケット６はドレーンモーター５が作動して動力伝達装置２が備えた連結レバーに連結されたブレーキレバー（図示せず）が動作されると同時に、連結ブラケット６が引っ張られることにより排水口４ａが開放される。
【０００４】
以上のように構成された従来の洗濯機の作動は、洗濯時水槽１に洗濯水が供給され、パルセータの正逆転に伴って洗濯行程が行われ、洗濯が完了すればドレーンモーター５が作動して動力伝達装置２の作動を制御するようになると同時に、排水口４ａを開放して洗濯後の汚水を排水ホース４を介して排水する。
【０００５】
このような従来の洗濯機において、連結ブラケット６を引っ張って排水口を開放し、動力伝達装置２の連結レバー７を引っ張ってブレーキバンド（図示せず）を弛緩させ排水及び脱水行程を進むように強い力を持つドレーンモーター５は、図２に示した通り、その内部構造が数十個のギア５ａで構成され、部品数が多くて複雑であり、作動時騷音が生ずる問題点があった。
【０００６】
また、長期間の動作によりギア５ａの摩耗が発生して、ドレーンモーター５の故障が起こり、故障時部品数が多くて複雑なのでドレーンモーター５内の部分的なギア５ａ交換が不可能になってドレーンモーター５全体を交換しなければならないので、相当な修理費がかかる問題点と製作時にも部品コストのアップにともなう製品コストの上昇などの問題点を抱えている。
【０００７】
【発明が解決しようとする課題】
本発明は前述した従来の問題点を解決するために案出されたもので、その目的は内部構造が簡単で、部品数が少なくて済み、長期間の動作にも故障及び騷音が発生しない排水制御装置を持つ洗濯機を提供するところにある。
【０００８】
本発明の他の目的は内部構造を単純化して製作費の節減効果を奏する排水制御装置を持つ洗濯機を提供するところにある。
【０００９】
【課題を解決するための手段】
前述した目的を解決するために本発明は、洗濯機の水槽と連結する排水ホース、前記排水ホースと連結された排水口を開閉する開閉バルブ、前記開閉バルブと連結された連結ブラケット、前記連結ブラケットを作動させる駆動装置を含む洗濯機の排水制御装置において、流体が充填され前記流体の体積変化に伴って駆動される第１駆動手段と、前記第１駆動手段と連結され前記流体の流出入を調節する第２駆動手段とを持つ洗濯機の排水制御装置により達成される。
【００１０】
【発明の実施の形態】
以下、添付した図面を参照して本発明の望ましい実施形態の洗濯機の排水制御装置を説明する。
本発明の実施形態は、図３に示されている通り、水槽１の底面一側に駆動力を発生させる駆動モーター３と底面中央に動力伝達装置２が設けられ、前記動力伝達装置２から一定距離離隔された所定位置に水槽内の水を排水させる排水ホース４と連結された排水口４ａが形成され、前記排水口４ａの開閉と動力伝達装置２の動力伝達を制御する排水制御装置５０が一定距離離隔された所定位置に設けられている。
【００１１】
図４または図５に示した通り、排水制御装置５０は大きく第１ケース３０と第２ケース４０とから構成され、前記第１ケース３０と第２ケース４０は、各ケース内に後述する第１シリンダー３２と第２シリンダー４２がパイプ４１により相互連通されている。
【００１２】
前記第１ケース３０は、直四角形のボックスであって、第１ケース３０内部の両側面の所定位置にはロッド３１の摺動を可能にするロッドガイド部３１ａが設けられ、前記ロッドがロッドガイド部３１ａに支持されながら第１ケースの一側面を貫通して突出される。
【００１３】
前記突出したロッド３１が、連結ブラケット６と連結され、前記連結ブラケット６を引っ張って排水口４ａを開放し、動力伝達装置の連結レバー７を引っ張ってブレーキバンド（図示せず）を弛緩させて排水及び脱水行程をするように動力伝達装置２の動力を制御する。
【００１４】
また、前記ロッド３１の所定位置には、流体を盛った第１シリンダー３２を受入れるための収容部３２ａを持ち、前記第１シリンダー３２は、熱伝導が容易になされる金属性であって、これはシリンダー内の流体の急速な加熱のためのものである。
【００１５】
前記第１シリンダー３２内の流体は、熱膨張係数が大きい液体であって、本発明では、加熱時短時間内に膨脹が可能な流動パラフィンを使用する。
前記第１シリンダー３２の外面の上下側には、流体を加熱させるヒーター３４が設けられ、前記ヒーター３４の一側には、電源から電流を印加され前記ヒーターに熱を加える電気素子３５が第１ケースの外へ突出されている。
【００１６】
前記ロッド３１の収容部３１ａに受け入れられた前記第１シリンダー３２には、流体の膨脹有無によって直線往復して前記ロッド３１を移動させられる第１ピストン３３が備わっている。
また、前記第１ケース３０とロッド３１の一側面には、スプリングのような第１弾性部材３６が設けられ前記ロッド３１と第１ケース３０を一体化させ、前記第１弾性部材３６は前記ロッド３１に弾性力を提供する。
【００１７】
前記第１ケース３０と前記ロッド３１の一側面には、前記弾性部材３６を支持する弾性部材受入溝３６ａが設けられており、前記弾性部材３６の離脱を防止して前記ロッド３１に安定した弾性力を付することができる。
したがって、前記ヒーター３４に電源を印加する際、前記第１シリンダー３２内の流体が加熱され体積が膨脹されることによって、前記シリンダー３２内の第１ピストン３３を押し出すようになり、押出されてきた前記第１ピストン３３は前記ロッド３１の一側面に接してロッド３１を押し出す、結局連結ブラケット６に連結されたロッド３１を引っ張る作用をする。
【００１８】
第２ケース４０は本発明の特徴的な構成要素であって、第１ケース３０内の第１シリンダー３２の流体の流動と流量調節のために第２ケース４０内に前記流体を盛ることができる第２シリンダー４２を設ける。
すなわち、前記第２シリンダーはパイプ４１により第１シリンダー３２と連通設置されている。
【００１９】
図４または図５に示されている通り、前記第２ケース４０を詳細に説明すれば次の通りである。
前記第２ケース４０の内部には、第１シリンダー３２の流体の流量を調節するために前記流体を受け入れられる第２シリンダー４２が設けられ、前記第２シリンダー４２の外面と第２ケース４０との所定位置には電気素子４５から熱を印加され電磁石の極性を持つコイル４４が構成されている。
【００２０】
また、電源から電気または電流を印加され、前記コイル４４に熱を加える電気素子４５が第２ケース４０の外へ突出されている。
前記第２シリンダー４２には前記第１シリンダー３２から流体を短時間内に内に流入及び流出するための第２ピストン４３が備わり、前記第２ピストン４３は金属性の材質であって前記コイル４４が電源印加によって電磁石の力を持つようになることで前記第２ピストン４３を引っ張ったり押し出す直線往復動を制御するようになる。
【００２１】
また、前記第２ピストン４３の直線往復動は、第２シリンダー４２内の一側面と前記第２ピストン４３の一端とを連結するスプリングのような第２弾性部材４６により一体に支持される。
【００２２】
すなわち、第２シリンダー４２内のコイル４４に電源が印加されれば、前記コイル４４が電磁石の力を借りて（＋）極性を持つようになって（−）極性の第２ピストン４３を引っ張るようになり、これに伴い第１シリンダー３２内の流体が第２シリンダー４２に移動するようになる。
【００２３】
逆に、コイル４４に電源がオフされれば、コイル４４は本来の（−）極性を持つようになって（−）極性の第２ピストン４５と同じ極性で第２ピストン４５を放すようになると共に、第２弾性部材４６の弾性作用により第２ピストン４５が押し上げられて第２シリンダー４３内の流体を第１シリンダー３２内に移動させる。
【００２４】
このような構成に基づき図５及び図６を参照して本発明の動作を詳細に説明する。
図５は排水及び脱水時の排水制御装置５０の動作状態図である。
洗濯機において洗濯行程の終了後ヒーター３４に電源が印加されれば、第１シリンダー３２内の流体が加熱され体積が膨脹すると同時に、コイル４４の電源がオフされコイル４４の磁場が消えるようになり、第２ピストン４３を放しながら前記第２弾性部材４６の弾性力が強く作用することによって前記第２ピストン４３を押し出す。
【００２５】
したがって、第２シリンダー４２内の流体を第１シリンダー３２内に流入させて流体量の増加と加熱による体積の膨張力により第１ピストン３３が押出されながらロッド３１が引っ張られ、この連動により排水口４ａが開放され、動力伝達装置２の連結レバー７を引っ張って排水及び脱水行程を進む。
【００２６】
一方、図６は給水及び洗濯時の排水制御装置の動作状態を示した図面である。洗濯機において排水及び脱水行程の終了後、ヒーター３４に電源がオフされれば流体が冷却されながら体積が縮まるが、冷却が急速がなされなくて短時間内に前記ロッド３１を復帰させるためには第２ケース４０のコイル４４に電源を印加して第２ピストン４３を引っ張るようになる。
【００２７】
したがって、前記第１シリンダー３２内の流体が第２シリンダー４２内に流出され前記第１シリンダー３２内の流体の体積が縮まり、押された第１ピストン３３が復帰されると同時に、第１弾性部材３６の弾性力によりロッド３１を押して引っ張っていた前記排水口４ａと動力伝達装置２の連結レバー７を放して前記排水口４ａを閉じ、連結レバー７が引っ張っている動力伝達装置２のブレーキ部のブレーキバンド（図示せず）を放して回転している脱水槽（図示せず）を停止させる。
【００２８】
【発明の効果】
以上述べた通り、本発明の実施例に伴う洗濯機の排水制御装置は、作動時騷音がなく内部構造が簡単であり、長期間の動作にも故障発生が顕著に減り、構造の単純化により部品数が少なくて製品のコスト節減が可能になる効果がある。
【００２９】
以上では本発明の特定の望ましい実施例について示しかつ説明したが、本発明に係る駆動装置は実施例である洗濯機の排水制御装置に限らず、特許請求の範囲において請求する本発明の要旨を逸脱せず該当発明の属する分野において通常の知識を持つものならば誰でも多様な変形実施が可能である。
【図面の簡単な説明】
【図１】従来の洗濯機の水槽底面を示した底面図である。
【図２】従来の洗濯機のドレーンモーターの内部構成を示した側断面図である。
【図３】本発明に係る排水制御装置を適用した洗濯機の水槽底面を示した底面図である。
【図４】本発明に係る排水制御装置を示した分解斜視図である。
【図５】本発明に係る排水及び脱水時排水制御装置の動作状態を示した平面図である。
【図６】本発明に係る洗濯時排水制御装置の動作状態を示した平面図である。
【符号の説明】
３０    第１ケース
３１    ロッド
３２    第１シリンダー
３３    第１ピストン
３４    ヒーター
３５    電気素子
４０    第２ケース
４１    パイプ
４２    第２シリンダー
４３    第２ピストン
４４    コイル
４５    電気素子
５０    駆動装置（排水制御装置）
【図１】
0003569239.tif 000002
【図２】
0003569239.tif 000003
【図３】
0003569239.tif 000004
【図４】
0003569239.tif 000005
【図５】
0003569239.tif 000006
【図６】
0003569239.tif 000007